【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
関節に配置されるように構成された第一のインプラントに関する第一の情報を獲得する段階；
関節に配置されるように構成された第二のインプラントおよび該関節の骨の少なくとも一つに関する第二の情報を獲得する段階；
第一の情報および第二の情報に少なくとも部分的に基づいて、第一のインプラントと第二のインプラントおよび骨の少なくとも一つとの関係を決定する段階；ならびに
少なくとも一つの状態に基づいて該関係を評価する段階であって、該状態が少なくとも一つの性能特性を含む、段階
を含む、手術法。
【請求項２】
決定された関係を所望の関係と比較する段階をさらに含む、請求項1記載の手術法。
【請求項３】
第一のインプラントならびに第二のインプラントおよび骨の少なくとも一つに関して獲得された情報に少なくとも部分的に基づいて、関節における軟組織の状態を決定する段階をさらに含む、請求項1記載の手術法。
【請求項４】
第一のインプラントの少なくとも一部が組織によって覆われる場合に、第一の情報が獲得される、および第二のインプラントの少なくとも一部が組織によって覆われる場合に、第二の情報が獲得される、の少なくとも一つである、請求項1記載の手術法。
【請求項５】
第一のインプラントが、第一のインプラントに関する情報を提供するように構成された第一の特徴を含み、かつ第二のインプラントおよび骨の少なくとも一つが、第二のインプラントおよび骨の少なくとも一つに関する情報を提供するように構成された第二の特徴を含む、手術法であって、第一の特徴および第二の特徴の少なくとも一つが、センサー、シグナルエミッター、圧電トランスデューサ、光学エッチング、光学マーキング、マーカー、パターン、目印、機器のインターフェース、点、線、軸、長さ、弧の中心、湾曲、半径、平面、表面、関節表面、仮想特徴、対応点、解剖学的位置、軟組織の挿入／付着点、ディボット、腔、大きさ、およびIDの少なくとも一つを含む、請求項1記載の手術法。
【請求項６】
関節に配置されるように構成された第一のインプラントに関する情報を獲得する段階；ならびに
第一のインプラントに関して獲得された情報、および第一のインプラントと関節に配置されるように構成された第二のインプラントおよび該関節の骨の少なくとも一つとの所望の関係に少なくとも部分的に基づいて、関節における第一のインプラントの配置を計画する段階
を含む、手術法。
【請求項７】
第一のインプラントが、第一のインプラントに関する情報を提供するように構成された第一の特徴を含み、かつ第二のインプラントおよび骨の少なくとも一つが、第二のインプラントおよび骨の少なくとも一つに関する情報を提供するように構成された第二の特徴を含む、手術法であって、第一の特徴および第二の特徴の少なくとも一つが、センサー、シグナルエミッター、圧電トランスデューサ、光学エッチング、光学マーキング、マーカー、パターン、目印、機器のインターフェース、点、線、軸、長さ、弧の中心、湾曲、半径、平面、表面、関節表面、仮想特徴、対応点、解剖学的位置、軟組織の挿入／付着点、ディボット、腔、大きさ、およびIDの少なくとも一つを含む、請求項6記載の手術法。
【請求項８】
関節に配置されるように構成され、かつ第一の特徴を含む、第一の構成要素；ならびに
第一の構成要素と関節に配置されるように構成された第二の構成要素および該関節の骨の少なくとも一つとの関係を決定するようにプログラムされたコンピューターであって、
第二の構成要素および骨の少なくとも一つが第二の特徴を含み、
該関係が、第一の特徴および第二の特徴に少なくとも部分的に基づき、かつ
第一の特徴および第二の特徴の少なくとも一つが仮想特徴を含む、
コンピューター
を含む、補綴装置を埋め込むためのシステム。
【請求項９】
第一の特徴および第二の特徴の少なくとも一つが、センサー、シグナルエミッター、圧電トランスデューサ、光学エッチング、光学マーキング、マーカー、パターン、目印、機器のインターフェース、点、線、軸、長さ、弧の中心、湾曲、半径、平面、表面、関節表面、対応点、解剖学的位置、軟組織の挿入／付着点、ディボット、腔、大きさ、およびIDの少なくとも一つを含む、請求項8記載のシステム。
【請求項１０】
コンピューターが、決定された関係を所望の関係と比較するようにプログラムされる、請求項8記載のシステム。
【請求項１１】
コンピューターが、画像データセット、無画像データセット、等式、公差、および幾何学モデルの少なくとも一つに基づいて所望の関係を決定するようにプログラムされる、請求項10記載のシステム。
【請求項１２】
第一の情報を提供する第一の特徴を含み、かつ関節に配置されるように構成された第一の構成要素；ならびに
第一の構成要素と関節に配置されるように構成された第二の構成要素および該関節の骨の少なくとも一つとの少なくとも一つの関係を作製するように、および少なくとも一つの状態に基づいて該関係を評価するようにプログラムされたコンピューターであって、
前記第二の構成要素および骨の少なくとも一つが、第二の情報を提供する第二の特徴を含み、
前記関係が第一の特徴および第二の特徴に少なくとも部分的に基づき、かつ
少なくとも一つの状態が少なくとも一つの性能特性を含む、
コンピューター
を含む、補綴装置を埋め込むためのシステム。
【請求項１３】
第一の特徴および第二の特徴の少なくとも一つが、センサー、シグナルエミッター、圧電トランスデューサ、光学エッチング、光学マーキング、マーカー、パターン、目印、機器のインターフェース、点、線、軸、長さ、弧の中心、湾曲、半径、平面、表面、関節表面、仮想特徴、対応点、解剖学的位置、軟組織の挿入／付着点、ディボット、腔、大きさ、およびIDの少なくとも一つを含む、請求項12記載のシステム。
【請求項１４】
少なくとも一つの関係が、距離、距離の限度、角度、角度の限度、正接、方位、モーメントアーム長、同一線上の方位、同心円上の方位、同一平面上の方位、および可能性があるインプラントの位置の少なくとも一つである、請求項12記載のシステム。
【請求項１５】
性能特性が、摩耗、応力、運動学、動力学、固定強度、靱帯バランス、解剖学的適合および寿命の少なくとも一つである、請求項12記載のシステム。
【請求項１６】
コンピューターが、少なくとも一つの状態に基づいて第一の構成要素と第二の構成要素および骨の少なくとも一つとの少なくとも一つの関係の改変を提案するようにさらにプログラムされる、請求項12記載のシステム。
【請求項１７】
コンピューターが、準最適な位置にある既存のインプラントである第一の構成要素と第二の構成要素および骨の少なくとも一つとの最適な関係を決定するようにさらにプログラムされる、請求項12記載のシステム。
【請求項１８】
関節に配置されるように構成された第一の構成要素の第一の特徴を獲得する段階；
関節に配置されるように構成された第二の構成要素および該関節の骨の少なくとも一つの第二の特徴を獲得する段階；
第一の特徴と第二の特徴との関係を決定する段階；ならびに
少なくとも一つの状態に基づいて関係を評価する段階
を含む、手術法であって、
第一の特徴および第二の特徴の少なくとも一つが仮想特徴を含む、手術法。
【請求項１９】
少なくとも一つの状態に基づいて、決定された関係の改変を提案する段階をさらに含む、請求項18記載の手術法。
【請求項２０】
第一の特徴および第二の特徴が、レーザープローブ、超音波プローブ、物理機器プローブ、RFID検出、およびCADモデリングの少なくとも一つによって獲得される、請求項18記載の手術法。
【請求項２１】
関節に配置されるように構成された第一の構成要素の第一の特徴を獲得する段階；
関節に配置されるように構成された第二の構成要素および該関節の骨の少なくとも一つの第二の特徴を獲得する段階；
関係に基づいて第一の特徴を第二の特徴に関連させる段階；ならびに
性能特性に基づいて関係を改変する段階
を含む、手術法。